(57)【要約】【課題】高さ調整が容易であり、簡単な構造で低コストの植物保持具の提供。【解決手段】平面視で弧状に形成され、弧状の凹側に植物を支持する支持部２であり、弧状の凹側方向および凸側方向に弾性変形可能な支持部２と、支持部２の中央部に弧状の凸側が第１開口部３０となるように平面視でＣ形に形成された第１固定部３であり、第１開口部３０を通じて支柱に嵌合される第１固定部３とを有する。【選択図】図１
2019080548.tif 000002
【特許請求の範囲】
【請求項１】
平面視で弧状に形成され、前記弧状の凹側に植物を支持する支持部であり、前記弧状の凹側方向および凸側方向に弾性変形可能な支持部と、
前記支持部の中央部に前記弧状の凸側が第１開口部となるように平面視でＣ形に形成された第１固定部であり、前記第１開口部を通じて支柱に嵌合される第１固定部と
を有する植物保持具。
【請求項２】
前記支持部の中央部の前記弧状の凹側に、前記弧状に沿う側が第２開口部となるように平面視でＣ形に形成された第２固定部であり、前記第２開口部を通じて支柱に嵌合される第２固定部を有する請求項１記載の植物保持具。
【請求項３】
前記第２固定部の前記第２開口部が形成された側と反対側の外側に、前記支持部と対向して延びる摘み部を有する請求項２記載の植物保持具。
【請求項４】
前記支持部の両端部に上下相異なる方向にそれぞれ形成された切欠部であり、当該植物保持具を複数継ぎ合わせるための切欠部を有する請求項１から３のいずれか１項に記載の植物保持具。
【請求項５】
前記支持部の両端部は前記弧状の凹側に折れ曲がった形状であり、前記切欠部は前記支持部の両端部の折れ曲がった先の部分に形成されたものである請求項４記載の植物保持具。
【発明の詳細な説明】
【技術分野】
【０００１】
本発明は、花類や果樹等の植物が傾いたり倒れたりすることを防止するための植物保持具に関する。
【背景技術】
【０００２】
従来、花類や果樹等の植物が傾いたり倒れたりすることを防止するため、例えば特許文献１〜３に記載の植物保持具や植物栽培用支柱等が用いられる。特許文献１に記載の植物保持具は、植木鉢や花壇等に支柱部分を差し込み、上部の円弧状の支え部分で植物を支えるものである。また、特許文献２に記載の植物保持具は、ほぼ半円状に形成された２本の分割リングを相対向状に連結してなる保持リングを開いた状態にして横方向から植物の根元近傍に差し入れて閉じ、植物に沿って立設される支柱に挟着された取付具に差し込むものである。
【０００３】
特許文献３に記載の植物栽培用支柱は、地中に埋設する差込部を下部に有する複数の縦軸と、縦軸に垂直に交叉するように取り付けられた複数の弧状の横軸からなる植物栽培用支柱であり、例えば、横軸は弧状であれば、半円、半楕円あるいは半楕円などを任意の大きさに分割した形状である扇型形状などの弧状形状として、植物を支えるものである。
【先行技術文献】
【特許文献】
【０００４】
【特許文献１】意匠登録第１２４３３７７号公報
【特許文献２】特開２００３−２９９４１５号公報
【特許文献３】特開２００８−３５７９４号公報
【発明の概要】
【発明が解決しようとする課題】
【０００５】
上記特許文献１に記載の植物保持具では、上部の円弧状の支え部分が支柱部分と一体化された構造であり、植物を支える高さを調整するには支柱部分の埋め込み深さを変えるしかないが、植物の重みで倒れないように支柱部分の埋め込み深さの調整範囲は限られており、実際には支柱部分の長さを変えた複数種類の製品を揃えておく必要がある。
【０００６】
一方、特許文献２に記載の植物保持具では、支柱と保持リングとが別体となっているため、植物を支持する高さを自在に調整することが可能であるものの、保持リングと、この保持リングを支柱に取り付ける取付具も別々となっており、部品点数が多くなっている。また、取付具の高さを調整するためには、取付具のボルトを緩めたり締めたりする必要があり、面倒である。さらに、保持リングについても開いた状態にして横方向から植物の根元近傍に差し入れて閉じる構造であるため、高さ調整の際に植物を傷付けないように、保持リングを取付具から一旦抜き取って開き、高さを調整した後に閉じて再度取付具に取り付けなおす必要がある。
【０００７】
また、特許文献３に記載の植物栽培用支柱は、複数の縦軸と複数の弧状の横軸とが組み合わされているため、高さ調整は必要ないが、支持が必要でない高さにも複数の弧状の横軸が無駄に存在し、コストが高くなる要因となる。
【０００８】
そこで、本発明においては、高さ調整が容易であり、簡単な構造で低コストの植物保持具を提供することを目的とする。
【課題を解決するための手段】
【０００９】
本発明の植物保持具は、平面視で弧状に形成され、弧状の凹側に植物を支持する支持部であり、弧状の凹側方向および凸側方向に弾性変形可能な支持部と、支持部の中央部に弧状の凸側が第１開口部となるように平面視でＣ形に形成された第１固定部であり、第１開口部を通じて支柱に嵌合される第１固定部とを有するものである。
【００１０】
本発明の植物保持具は、第１開口部を通じて支柱に第１固定部を嵌合し、支持部の凹側に植物を支持するようにして使用する。支持部は弧状の凹側方向および凸側方向に弾性変形可能であるため、第１開口部を通じて支柱に第１固定部を嵌合する際には支持部が弧状の凹側方向に弾性変形して第１開口部の開口幅が拡がり、支柱が第１開口部を通過した後に弾性回復して支柱に固定される。そして、支柱への取り付け後、弧状の凹側に植物を支持した状態においては、第１固定部を中心として支持部の両側が植物により弧状の凸側方向に押圧されて支持部が弧状の凸側方向に弾性変形し、第１開口部は開口幅が狭まる方向に押圧された状態となるため、第１固定部はより強固に支柱に固定される。また、本発明の植物保持具では、支柱の上下にスライドさせることで、高さ調整を容易に行うことが可能である。また、本発明の植物保持具では、作業者が支持部に力を加えて弧状の凹側方向に弾性変形させることでも第１開口部の開口幅が拡がるため、支柱への着脱作業や高さ調整作業が容易である。
【００１１】
本発明の植物保持具は、さらに、支持部の中央部の弧状の凹側に、弧状に沿う側が第２開口部となるように平面視でＣ形に形成された第２固定部であり、第２開口部を通じて支柱に嵌合される第２固定部を有するものであることが望ましい。
【００１２】
前述のように本発明の植物保持具は、支持部の弧状の凹側に植物を支持し、支持部の弧状の凸側で支柱に固定されて使用されるものであるが、本発明の植物保持具が、さらに、支持部の中央部の弧状の凹側に、弧状に沿う側が第２開口部となるように平面視でＣ形に形成された第２固定部を有することで、支持部の弧状の凹側に立設された支柱をこの第２固定部に第２開口部を通じて嵌合することで固定することも可能となる。第２固定部への支柱の嵌合は、本発明の植物保持具を支柱に対して支持部の弧状に沿う方向にスライドさせることで行うことが可能である。また、この植物保持具は第２固定部に嵌合されている支柱の上下にスライドさせることで、高さ調整を容易に行うことも可能である。また、支柱に対して第２固定部を取り付け後、弧状の凹側に植物を支持した状態においては、前述のように第１固定部を中心として支持部の両側が植物により弧状の凸側方向に押圧されるが、第２固定部の第２開口部は支持部の弧状に沿う側に形成されているため、支柱は第２開口部から外れる方向に押圧されることがなく、支柱は第２開口部から脱落しない。
【００１３】
ここで、本発明の植物保持具は、第２固定部の第２開口部が形成された側と反対側の外側に、支持部と対向して延びる摘み部を有することが望ましい。これにより、第２固定部へ支柱を嵌合する際、摘み部とこの摘み部に対向する支持部とを挟むように指で摘まむことによって第２開口部の開口幅を容易に拡げることが可能となり、支柱への着脱作業や高さ調整作業等が容易となる。
【００１４】
また、本発明の植物保持具は、支持部の両端部に上下相異なる方向にそれぞれ形成された切欠部であり、当該植物保持具を複数継ぎ合わせるための切欠部を有することが望ましい。これにより、本発明の植物保持具を複数用い、それぞれの支持部の両端部に上下相異なる方向にそれぞれ形成された切欠部を互い違いに組み込んで繋ぎ合わせることが可能となる。
【００１５】
また、支持部の両端部は弧状の凹側に折れ曲がった形状であり、切欠部は支持部の両端部の折れ曲がった先の部分に形成されたものであることが望ましい。これにより、本発明の植物保持具を複数繋ぎ合わせて使用する際、繋ぎ合わせた植物保持具のそれぞれの保持部の角度差が小さくなり、全体で滑らかなカーブを描くように接続した植物保持具が得られる。
【発明の効果】
【００１６】
（１）平面視で弧状に形成され、弧状の凹側に植物を支持する支持部であり、弧状の凹側方向および凸側方向に弾性変形可能な支持部と、支持部の中央部に弧状の凸側が第１開口部となるように平面視でＣ形に形成された第１固定部であり、第１開口部を通じて支柱に嵌合される第１固定部とを有する植物保持具によれば、支柱への着脱作業や高さ調整が容易であり、植物を支持した状態においてはより強固に支柱に固定されて脱落しにくい、簡単な構造で低コストの植物保持具が得られる。
【００１７】
（２）さらに、支持部の中央部の弧状の凹側に、弧状に沿う側が第２開口部となるように平面視でＣ形に形成された第２固定部であり、第２開口部を通じて支柱に嵌合される第２固定部を有する構成により、支持部の弧状の凸側で支柱に固定して使用するだけでなく、支持部の弧状の凹側に立設された支柱に固定して使用することが可能となり、この支持部の弧状の凹側の支柱に対しても着脱作業や高さ調整が容易であり、植物を支持した状態において、この支持部の弧状の凹側の支柱から脱落することもない。
【００１８】
（３）第２固定部の第２開口部が形成された側と反対側の外側に、支持部と対向して延びる摘み部を有する構成により、第２固定部へ支柱を嵌合する際、摘み部とこの摘み部に対向する支持部とを挟むように指で摘まむことによって、支柱への着脱作業や高さ調整作業等が容易となる。
【００１９】
（４）支持部の両端部に上下相異なる方向にそれぞれ形成された切欠部であり、当該植物保持具を複数継ぎ合わせるための切欠部を有することにより、本発明の植物保持具を複数用い、容易に繋ぎ合わせて使用することが可能となる。
【００２０】
（５）支持部の両端部は弧状の凹側に折れ曲がった形状であり、切欠部は支持部の両端部の折れ曲がった先の部分に形成されたものであることにより、複数繋ぎ合わせて使用する際、全体で滑らかなカーブを描くように接続した植物保持具が得られる。
【図面の簡単な説明】
【００２１】
【図１】本発明の実施の形態における植物保持具の斜視図である。
【図２】図１の植物保持具の平面図である。
【図３】図１の植物保持具の正面図である。
【図４】図２のＩＶ矢視図である。
【図５】図２のＶ矢視図である。
【図６】第１固定部を支柱に嵌合した例を示す斜視図である。
【図７】第２固定部を支柱に嵌合した例を示す斜視図である。
【図８】複数の植物保持具を連結した状態を示す斜視図である。
【図９】本実施形態における植物保持具の使用例を示す斜視図である。
【図１０】本実施形態における植物保持具の使用例を示す斜視図である。
【図１１】本実施形態における植物保持具の使用例を示す斜視図である。
【発明を実施するための形態】
【００２２】
図１は本発明の実施の形態における植物保持具の斜視図、図２は図１の植物保持具の平面図、図３は正面図、図４は図２のＩＶ矢視図、図５は図２のＶ矢視図、図６は第１固定部を支柱に嵌合した例を示す斜視図、図７は第２固定部を支柱に嵌合した例を示す斜視図、図８は複数の植物保持具を連結した状態を示す斜視図である。
【００２３】
図１〜図５に示すように、本発明の実施の形態における植物保持具１は、植物を支持する支持部２と、支柱１０Ａ（図６参照。）に嵌合される第１固定部３と、支柱１０Ｂ（図７参照。）に嵌合される第２固定部４とを備える。植物保持具１は、全体が例えばポリプロピレン等の弾性を有する耐候性合成樹脂で一体成形されている。
【００２４】
支持部２は、図２に示すように平面視で（図６および図７に示されるように植物保持具１が嵌合される支柱１０Ａ，１０Ｂの軸方向から見て）弧状に形成されている。支持部２は、弧状の凹側（図２の上側）が植物を支持する側である。支持部２の凹側には、植物を支持するための突起２１が所定間隔で複数設けられている。
【００２５】
支持部２は、弧状の凹側方向および凸側（図２の下側）方向からみた厚さ（図３の上下方向の幅）よりも平面視した際の厚さ（図２の弧状に沿う上下方向の幅）の方が薄くなっている。また、支持部２の凸側には弧状に沿う補強リブ２２が設けられている。これにより、支持部２は、図３の上下方向よりも弧状の凹側方向および凸側方向に弾性変形しやすくなっている。
【００２６】
また、支持部２の両端部は、弧状の凹側に折れ曲がった形状となっている。この支持部２の両端部の折れ曲がった形状の先の部分（曲折部２０）には、上下相異なる方向にそれぞれ形成された切欠部２３Ａ，２３Ｂを有する。この切欠部２３Ａ，２３Ｂによって、図８に示すように、植物保持具１を複数用い、それぞれの支持部２の両端部に上下相異なる方向にそれぞれ形成された切欠部２３Ａ，２３Ｂを互い違いに組み込んで繋ぎ合わせることが可能となっている。特に、この植物保持具１では、切欠部２３Ａ，２３Ｂが支持部２の両端部の折れ曲がった先の部分（曲折部２０）に形成されているため、複数繋ぎ合わせて使用する際、全体で滑らかなカーブを描くように接続し、図８に示すように全体で環状の植物支持具とすることが可能となっている。
【００２７】
第１固定部３は、支持部２の中央部に弧状の凸側が第１開口部３０となるように平面視でＣ形に形成されている。第１固定部３は、第１開口部３０を通じて支柱１０Ａに嵌合される。第１固定部３を支柱１０Ａに嵌合する際は、図６に示すように、第１固定部３の第１開口部３０を支柱１０Ａにあてがい、矢印で示す方向（弧状に対して直交方向）に押し込む。すると、支持部２が第１固定部３を中心として弧状の凹側方向に弾性変形して第１開口部３０の開口幅が拡がり、支柱１０Ａが第１開口部３０を通過した後に弾性回復し、支柱１０Ａに嵌合され、固定される。
【００２８】
また、この植物保持具１では、支柱１０Ａに嵌合された状態のまま、支柱１０Ａの上下にスライドさせることで、高さ調整を容易に行うことが可能である。また、この植物保持具では、作業者が支持部２に力を加えて弧状の凹側方向に弾性変形させることでも第１開口部３０の開口幅が拡がるため、支柱１０Ａへの着脱作業や高さ調整作業が容易である。
【００２９】
第２固定部４は、支持部２の中央部の弧状の凹側に、弧状に沿う側が第２開口部４０となるように平面視でＣ形に形成されている。第２固定部４には、第１固定部３に嵌合される支柱１０Ａよりも細径の支柱１０Ｂが嵌合される。第２固定部４は、第２開口部４０を通じて支柱１０Ｂに嵌合される。また、第２固定部４の第２開口部４０が形成された側と反対側の外側には、支持部２と対向して延びる摘み部４１を有する。
【００３０】
第２固定部４を支柱１０Ｂに嵌合する際は、図７に示すように、第２固定部４の第２開口部４０を支柱１０Ｂにあてがい、支柱１０Ｂに対して支持部２の弧状に沿う方向（図７に矢印で示す方向）に押し込む。すると、第２固定部４が弾性変形して第２開口部４０の開口幅が拡がり、支柱１０Ｂが第２開口部４０を通過した後に弾性回復し、支柱１０Ｂに嵌合され、固定される。また、この第２固定部４においても、支柱１０Ｂに嵌合されている状態のまま支柱１０Ｂの上下にスライドさせることで、高さ調整を容易に行うことが可能となっている。
【００３１】
また、この植物保持具１では、第２固定部４の第２開口部４０が形成された側と反対側の外側に、支持部２と対向して延びる摘み部４１を有するため、第２固定部４へ支柱１０Ｂを嵌合する際、摘み部４１とこの摘み部４１に対向する支持部２とを挟むように指で摘まむことによって、第２開口部４０の開口幅を容易に拡げることが可能となっており、支柱１０Ｂへの着脱作業や高さ調整作業等が容易となっている。
【００３２】
図９は本実施形態における植物保持具１の使用例を示す斜視図である。本実施形態における植物保持具１は、図９に示すように土壌１１の上に立設した支柱１０Ａに対して前述のように第１固定部３を嵌合して取り付け、弧状の凹側に植物１２の茎１２Ａ等を支持するようにして使用する。このように、弧状の凹側に植物１２を支持した状態においては、第１固定部３を中心として支持部２の両側が植物１２により弧状の凸側方向に押圧されて、支持部２が弧状の凸側方向に弾性変形し、第１開口部３０は開口幅が狭まる方向に押圧された状態となるため、第１固定部３はより強固に支柱に固定され、脱落しにくい。
【００３３】
また、本実施形態における植物保持具１では、図７に示すように第２固定部４に支柱１０Ｂを嵌合して取り付けることにより、同様に使用することも可能である。この支柱１０Ｂに対して第２固定部４を取り付け後、弧状の凹側に植物１２を支持した状態においては、前述のように第１固定部３を中心として支持部２の両側が植物１２により弧状の凸側方向に押圧されるが、第２固定部４の第２開口部４０は支持部２の弧状に沿う側に形成されているため、支柱１０Ｂは第２開口部４０から外れる方向に押圧されることがなく、支柱１０Ｂは第２開口部４０から脱落しない。
【００３４】
また、本実施形態における植物保持具１は、支柱１０Ａ，１０Ｂを用いずに、図１０に示すように、植物１２の茎１２Ａに対して第２固定部４を引っ掛けるようにして取り付け、この植物保持具１の弧状の凹側に周りの植物１２の茎１２Ａを支持して使用することも可能である。
【００３５】
図１１は複数の植物保持具１を連結して使用した例を示している。図１１に示す例では、前述のように複数の植物保持具１のそれぞれの支持部２の両端部に上下相異なる方向にそれぞれ形成された切欠部２３Ａ，２３Ｂを、互い違いに組み込んで繋ぎ合わせて環状にし、第２固定部４に支柱１０Ｂを嵌合して固定している。このように複数の植物保持具１を連結して環状にすることで、この環状内に植物１２をまとめて支持することが可能となる。
【産業上の利用可能性】
【００３６】
本発明の植物保持具は、花類や果樹等の植物が傾いたり倒れたりすることを防止するための植物保持具として有用であり、特に、高さ調整が容易であり、簡単な構造で低コストの植物保持具として好適である。
【符号の説明】
【００３７】
１  植物保持具
２  支持部
３  第１固定部
４  第２固定部
１０Ａ，１０Ｂ  支柱
２０  曲折部
２１  突起
２２  補強リブ
２３Ａ，２３Ｂ  切欠部
３０  第１開口部
４０  第２開口部
４１  摘み部
【図１】
2019080548.tif 000003
【図２】
2019080548.tif 000004
【図３】
2019080548.tif 000005
【図４】
2019080548.tif 000006
【図５】
2019080548.tif 000007
【図６】
2019080548.tif 000008
【図７】
2019080548.tif 000009
【図８】
2019080548.tif 000010
【図９】
2019080548.tif 000011
【図１０】
2019080548.tif 000012
【図１１】
2019080548.tif 000013